(57)【要約】【課題】遠隔カスタムレンダリングプロファイルを作成し、レンダリング装置に対するカラーマネジメントを実行するために結果として生じるレンダリングプロファイルをディジタルフロントエンド（ＤＦＥ）に自動的に転送しインストールする。【解決手段】レンダリング装置を介して、複数のカラースワッチを有する試験レンダリングジョブを生成し、この試験レンダリングジョブ上の更なる情報を符号化フォーマットに設置し、カスタムレンダリングプロファイルを生成するために、上記複数のカラースワッチを有する試験レンダリングジョブを、その後前記試験レンダリングジョブをスキャンするリモートサービスプロバイダに転送し、さらに、ユーザの介入なしに更なる情報に基づいてレンダリング装置の代わりにカラーマネジメントを実行するディジタルフロントエンドへと前記カスタムレンダリングプロファイルを自動的に配信しインストールする。【選択図】図６
2010157221.tif 000002
【特許請求の範囲】
【請求項１】
レンダリング装置を介して、複数の色見本を有する試験レンダリングジョブを作成すると共に、前記試験レンダリングジョブに符号化フォーマットで付加情報を設置する作成・設置ステップと、
カスタムレンダリングプロファイルを生成するために、続いて前記試験レンダリングジョブをスキャンする遠隔サービスプロバイダに対して前記試験レンダリングジョブを転送する転送ステップと、
ユーザを介さずに前記付加情報に基づいて、前記レンダリング装置に代えて、色処理を実行するディジタルフロントエンドに前記カスタムレンダリングプロファイルを自動的に配信すると共に、インストールすることにより、前記カスタムレンダリングプロファイルの遠隔作成を提供する提供ステップと、
を含むカスタムレンダリングプロファイル統合的遠隔作成方法。
【請求項２】
レンダリング装置を介して、複数の色見本を有する試験レンダリングジョブを作成すると共に、前記試験レンダリングジョブに符号化フォーマットで付加情報を設置する作成・設置ステップと、
ＩＣＣプロファイルフォーマットを含むカスタムレンダリングプロファイルを生成するために、続いて前記試験レンダリングジョブをスキャンする遠隔サービスプロバイダに対して前記試験レンダリングジョブを転送する転送ステップと、
ユーザを介さずに前記付加情報に基づいて、前記レンダリング装置に代えて、色処理を実行するディジタルフロントエンドに前記カスタムレンダリングプロファイルを自動的に配信すると共に、インストールする配信・インストールステップと、
前記カスタムレンダリングプロファイルをサブスクリプションモデルを介して転送することにより、前記カスタムレンダリングプロファイルの遠隔作成を提供する提供ステップと、
を含むカスタムレンダリングプロファイル統合的遠隔作成方法。
【請求項３】
プロセッサと、
前記プロセッサに連結されたデータバスと、
前記プロセッサによって実行可能な命令を有する前記コンピュータプログラムコードを含むと共に、前記データバスに連結されたコンピュータ使用可能媒体と、を含み、
前記コンピュータプログラムコードは、
レンダリング装置を介して、複数の色見本を有する試験レンダリングジョブを作成すると共に、前記試験レンダリングジョブに符号化フォーマットで付加情報を設置し、
カスタムレンダリングプロファイルを生成するために、続いて前記試験レンダリングジョブをスキャンする遠隔サービスプロバイダに対して前記試験レンダリングジョブを転送し、
ユーザを介さずに前記付加情報に基づいて、前記レンダリング装置に代えて、色処理を実行するディジタルフロントエンドに前記カスタムレンダリングプロファイルを自動的に配信すると共に、インストールすることにより、前記カスタムレンダリングプロファイルの遠隔作成を提供するように構成される、
カスタムレンダリングプロファイル統合的遠隔作成システム。
【請求項４】
前記カスタムレンダリングプロファイルがＩＣＣプロファイルフォーマットを含む、請求項３に記載のシステム。
【発明の詳細な説明】
【技術分野】
【０００１】
本発明は、概してレンダリング装置及び技術に関する。本発明はまた、一般にコンピュータ及び同様の技術の分野に関し、特に、この分野で利用されるソフトウェアに関する。さらに、本発明はカスタムレンダリングプロファイルを統合的に遠隔作成するための方法及びシステムに関する。
【背景技術】
【０００２】
例えば、モニタ、スキャナ、及びプリントなどの画像レンダリング装置（画像描画装置）は、レンダリング（描画）された画像のカラー特性（色特性）に関して歪みを加えることが多い。したがって、ディジタル画像レンダリング装置の相互間で転送される画像と文書とのカラーアピアランス（色の見栄え）の整合は、異なるイメージング装置に関連付けられるカラーレンダリング（色描画）特性に関する専門的なカラー画像処理知識の使用を必要とする。カラーマネジメントシステム（ＣＭＳ）は、異なるイメージング装置が異なるカラー能力を有するという理由で必要とされており、様々な条件でのカラー特性を記述し、可変カラースペース（色空間）内でカラー特性を操作する。このようなシステムは一般的に、画素を処理する方法を決定するためにカラープロファイルとして周知の標準データ構造を当てにしている。
【０００３】
小売環境における写真製品の製造は大きなビジネスチャンスである。しかしながら、このような環境は非常にコストに敏感であり、ロースキルオペレータに対する使いやすさを重視する。見かけのカラーギャマット（色再現可能領域）を最大化することは、エンドユーザが概してそれらの結果をハロゲン化銀プリントと比較する場合に画像中心のカスタム写真製品を製造するときに非常に重要である。ＩＣＣ（インターナショナル・カラー・コンソーシアム）プロファイルは、専門のカラーマネジメント解決手法であり、レンダリング装置が再現することができる全ての色に対して正確な印刷色を可能にするために国際的に容認された標準に準拠している。その一方、手動の微調整により正確な色を実現することはレンダリング装置のカラーレスポンス（色応答）の複雑な性質によりほぼ不可能である。ＩＣＣプロファイルは、種々の装置上で正確な出力を確実なものとするために色を適切に管理する能力を提供する。カスタムＩＣＣプリンタプロファイルは、フリートプロファイルと比較してカラーレンダリング装置の見かけのカラーギャマットを大幅に改善することができる。
【０００４】
このようなカスタムＩＣＣプリンタプロファイルの作成は、適切なカラーセンシング機器、一般にスペクトロフォトメータ、ＩＣＣプロファイル作成ソフトウェア、及びこのようなプロセスを実行する技術の存在を必要とする。このようなスペクトロフォトメータ及びＩＣＣプリンタプロファイリングソフトウェアの価格が年を追うごとに下落してきたとはいえ、費用は今もなお、ロースキルのレンダリング装置オペレータを利用する多くのコストに敏感な環境においてカスタムＩＣＣプリントプロファイルを作成するための障害である。したがって、スペクトロフォトメータを入手し、このような環境においてカスタムＩＣＣプリンタプロファイルの作成要員を養成することの費用を正当化することは困難である。
【先行技術文献】
【特許文献】
【０００５】
【特許文献１】米国特許出願公開第２００８／０２５９４０１号
【発明の概要】
【発明が解決しようとする課題】
【０００６】
本発明は、改良されたデータ処理方法とシステム、及びカスタムＩＣＣプリンタプロファイルを遠隔作成するための方法とシステムを提供し、さらに、特定のレンダリング装置に対してＩＣＣプリンタプロファイルを自動的に転送しインストールするためのカスタムレンダリングプロファイル統合的遠隔作成方法及びシステムを提供する。
【課題を解決するための手段】
【０００７】
本発明のカスタムレンダリングプロファイル統合的遠隔作成方法は、レンダリング装置を介して、複数の色見本を有する試験レンダリングジョブを作成すると共に、前記試験レンダリングジョブに符号化フォーマットで付加情報を設置する作成・設置ステップと、カスタムレンダリングプロファイルを生成するために、続いて前記試験レンダリングジョブをスキャンする遠隔サービスプロバイダに対して前記試験レンダリングジョブを転送する転送ステップと、ユーザを介さずに前記付加情報に基づいて、前記レンダリング装置に代えて、色処理を実行するディジタルフロントエンドに前記カスタムレンダリングプロファイルを自動的に配信すると共に、インストールすることにより、前記カスタムレンダリングプロファイルの遠隔作成を提供する提供ステップと、を含んで構成されている。
【０００８】
また、本発明のカスタムレンダリングプロファイル統合的遠隔作成方法は、レンダリング装置を介して、複数の色見本を有する試験レンダリングジョブを作成すると共に、前記試験レンダリングジョブに符号化フォーマットで付加情報を設置する作成・設置ステップと、ＩＣＣプロファイルフォーマットを含むカスタムレンダリングプロファイルを生成するために、続いて前記試験レンダリングジョブをスキャンする遠隔サービスプロバイダに対して前記試験レンダリングジョブを転送する転送ステップと、ユーザを介さずに前記付加情報に基づいて、前記レンダリング装置に代えて、色処理を実行するディジタルフロントエンドに前記カスタムレンダリングプロファイルを自動的に配信すると共に、インストールする配信・インストールステップと、前記カスタムレンダリングプロファイルをサブスクリプションモデルを介して転送することにより、前記カスタムレンダリングプロファイルの遠隔作成を提供する提供ステップと、を含んで構成されている。
【０００９】
一方、本発明のカスタムレンダリングプロファイル統合的遠隔作成システムは、プロセッサと、前記プロセッサに連結されたデータバスと、前記プロセッサによって実行可能な命令を有する前記コンピュータプログラムコードを含むと共に、前記データバスに連結されたコンピュータ使用可能媒体と、を含んで構成され、前記コンピュータプログラムコードが、レンダリング装置を介して、複数の色見本を有する試験レンダリングジョブを作成すると共に、前記試験レンダリングジョブに符号化フォーマットで付加情報を設置し、カスタムレンダリングプロファイルを生成するために、続いて前記試験レンダリングジョブをスキャンする遠隔サービスプロバイダに対して前記試験レンダリングジョブを転送し、ユーザを介さずに前記付加情報に基づいて、前記レンダリング装置に代えて、色処理を実行するディジタルフロントエンドに前記カスタムレンダリングプロファイルを自動的に配信すると共に、インストールすることにより、前記カスタムレンダリングプロファイルの遠隔作成を提供するように構成される。
【００１０】
また、本発明のカスタムレンダリングプロファイル統合的遠隔作成システムは、前記カスタムレンダリングプロファイルがＩＣＣプロファイルフォーマットを含むようにしてもよい。
【００１１】
カスタムレンダリングプロファイルを遠隔作成し、レンダリング装置に対するカラーマネジメントを実行するために、結果として生じるレンダリングプロファイルをディジタルフロントエンド（ＤＦＥ）に自動的に転送しインストールするためのシステム及び方法である。遠隔カスタムレンダリングプロファイルの一例は、本明細書中により詳細に記載されるようなＩＣＣプリンタプロファイルである。したがって、遠隔カスタムＩＣＣプリンタプロファイルは本明細書中に記載されるシステム及び方法を介して実施することかできる。本明細書に用いられるように、頭文字ＩＣＣは概して、「インターナショナル・カラー・コンソーシアム（国際色協会）」と称し、ＯＳレベルにおけるカラーマッチングモジュール（ＣＭＭ）に対するオープンスタンダード、及び装置と作業空間とに対するカラープロファイルを定義したインダストリ・コンソーシアム（産業協会）である。
【００１２】
多数の付加情報を有する色見本を備えたカラー試験レンダリングジョブは、遠隔サービスプロバイダに転送され、テストジョブはスキャンされ、カスタムＩＣＣプリンタプロファイルはプロファイラ・アプリケーションを用いて生成される。結果として生じるＩＣＣプロファイルは付加情報に基づいてレンダリング装置に電子的に送り戻され、ユーザを介さずにインストールされる。
【００１３】
ユーザは、特定の媒体及び色目安又はエミュレーションに対するカスタムＩＣＣプリンタプロファイルの作成を要求することができる。このような要求は、既存媒体とは異なる色特性を備えた新しい媒体の導入、レンダリング装置の色応答の傾向、又は試験レンダリングジョブの所望のカラーアピアランス（色の見栄え）の変化によってもたらされる。カラーテストジョブは、結果として生じるＩＣＣプリンタプロファイルを元のレンダリング装置に送り戻すための転送及びインストールの自動化方法を可能にするために人間及び機械可読情報を付加するように拡張することができる。上記の付加情報は、レンダリング装置を識別するための機械シリアル番号又はＭＡＣアドレスと、カスタマ装置及びレンダリング装置の少なくとも一方へＩＣＣプロファイルを転送するための命令と、を含む。
【００１４】
転送命令は、ＩＣＣプリンタプロファイルが人間を介さずにネットワーク上でレンダリング装置に転送される場合、直接の転送及びインストールを有するように想定したものとしてもよい。カスタムＩＣＣプリンタプロファイルは電子メールを介して転送してもよい。このような直接の転送及びインストールは、ＩＣＣプリンタプロファイルをレンダリング装置に転送するためにＩＰアドレス及びネットワーク名を必要とする。このようなアプローチは、レンダリング装置、媒体、及び色目安情報を備えた色見本テストプリントジョブに注釈を付けると共に、カスタムＩＣＣプリンタプロファイルを自動的にインストールし、新しいＩＣＣプロファイルを、ユーザを介さずに影響を受けた媒体に関連付ける。
【図面の簡単な説明】
【００１５】
【図１】本発明が具体化されるコンピュータシステムを示す概略図である。
【図２】本発明を実行するためのオペレーティングシステム、アプリケーションソフトウェア、及びユーザインタフェースを有するソフトウェアシステムを示す概略図である。
【図３】本発明の態様が実施され得るデータ処理システムのネットワークの図解表記を示す図である。
【図４】本発明の実施の形態による、遠隔カスタムＩＣＣプリンタプロファイリングシステムを示すブロック図である。
【図５】本発明の実施の形態にしたがって実施することができる、更なる情報を備えた試験レンダリングジョブの一例を示す図である。
【図６】本発明の実施の形態による、統合遠隔カスタムＩＣＣプリンタプロファイルを作成し、結果として生じるＩＣＣプリンタプロファイルをＤＦＥに自動的に転送しインストールするための方法の論理演算ステップを示す上位のフローチャートを示す図である。
【発明を実施するための形態】
【００１６】
図１〜図３は、本発明の実施の形態が実施され得るデータ処理環境の代表的な図として示されている。図１〜図３は一例にすぎず、本発明の実施の形態の態様が実施され得る環境に対していかなる制限を主張し又は意味することを目的とするものでないと理解すべきである。図に示された環境に対する多くの変更は本発明の精神及び範囲から逸脱せずに実行され得る。
【００１７】
図１は、本発明の一実施形態であり、中央処理装置１０１、主記憶装置１０２、入出力コントローラ１０３、例えばキーボード１０４などの入力装置、位置決め装置１０５（例えばマウス、トラックボール、ペンデバイスなど）、表示装置１０６、及び大容量記憶装置１０７（例えばハードディスク）を有するデータ処理装置１００を示している。更に、例えばレンダリング装置１０８など入出力装置は、所望に応じてデータ処理装置１００に含まれてもよい。他の構成要素はシステム１００の一部として含まれることもある。たとえば、スペクトロフォトメータなどの色測定器具１０９はシステム１００に組み込まれてもよい（これは、本明細書中で後述されるリモートエンティティ４３０のスキャナ４３５の一部であってもよい）。同図に示されるように、データ処理システム１００の種々の構成要素は、システムバス１１０又は同様のアーキテクチャを介して電子通信を行う。
【００１８】
図２は、データ処理装置１００の動作を方向付けるために提供されるコンピュータソフトウェアシステム１５０を示す。システムメモリ１０２内でディスクメモリ１０７上に保存されるソフトウェアシステム１５０は、カーネルまたはオペレーティングシステム１５１と、シェルまたはインタフェース１５３を有する。アプリケーションプログラム１５２等の１つ以上のアプリケーションプログラムは、データ処理装置１００によって実行されるために「ロード」され得る（即ち記憶装置１０７からメモリ１０２に転送される）。データ処理装置１００はユーザインタフェース１５３を介してユーザコマンド及びデータを受信し、そして、これらが入力されると、データ処理装置１００は、動作モジュール１５１及びアプリケーションモジュール１５２の少なくとも一方からの命令に従って作動する。
【００１９】
インタフェース１５３は、結果を表示するのに便利なグラフィカルユーザインタフェース（ＧＵＩ）であることが好ましく、これにより、ユーザは追加入力やセッションの終了を行うことができる。１つの特定の実施の形態において、オペレーティングシステム１５１及びインタフェース１５３は、「ウィンドウズ（登録商標）」システムの状況下で実施することができる。別の実施の形態において、オペレーティングシステム１５１及びインタフェース１５３は、例えばＬｉｎｕｘ、ＵＮＩＸ（登録商標）などの他のオペレーティングシステムの状況下でも実施することができる。一方で、アプリケーションモジュール１５２は、例えば図６に示される方法６００などの本明細書中に記載される種々の構成要素及びモジュールに対して本明細書中に記載される種々の動作などの命令を含むことができる。
【００２０】
図３は、本発明の態様が実施され得るデータ処理システムのネットワークを図解的に示す。ネットワークデータ処理システム３００は、本発明の実施の形態が実施され得るコンピュータのネットワークである。ネットワークデータ処理システム３００はネットワーク３０２を有し、これはネットワークデータ処理装置１００内で共に接続される種々の装置とコンピュータとの間に通信リンクを提供するために使用される媒体である。ネットワーク３０２は、ワイヤ通信リンク、ワイヤレス通信リンク若しくは光ファイバ回線などの接続点を有し得る。
【００２１】
図示された例において、サーバ３０４及びサーバ３０６は、記憶装置３０８とともにネットワーク３０２に接続する。さらに、クライアント３１０、３１２、及び３１４がネットワーク３０２に接続する。これらクライアント３１０、３１２、及び３１４は、例えばパーソナルコンピュータ又はネットワークコンピュータであればよい。図１に示されるデータ処理装置１００は例えば、クライアント３１０、３１２及び／又は３１４などのクライアントであり得る。あるいは、データ処理装置１００は、設計の検討によって、サーバ３０４及びサーバ３０６の少なくとも一方のサーバとして実施され得る。
【００２２】
図示された例において、サーバ３０４は、ブートファイル、オペレーティングシステム画像、及びアプリケーションなどのデータをクライアント３１０、３１２及び３１４に提供する。クライアント３１０、３１２及び３１４は、この例においてサーバ３０４に対するクライアントである。ネットワークデータ処理システム３００は、更なるサーバ、クライアント、及び図示しない他の装置を有してもよい。詳細には、クライアントは、同等なコンテンツを提供するサーバのネットワークのいずれのメンバとも接続することもできる。
【００２３】
図示された例では、ネットワークデータ処理システム３００は、互いに通信するのに適したプロトコルとしてのトランスミッション・コントロール・プロトコル／インターネットプロトコル（ＴＣＰ／ＩＰ）を使用するネットワーク及びゲートウェイのワールドワイドコレクションを示すネットワーク３０２を備えたインターネットである。インターネットの中心には、データ及びメッセッジを発送する数千の商業、行政、及び教育や他のコンピュータシステムから成る主要ノード若しくはホストコンピュータ間の高速データ通信ラインのバックボーンである。言うまでもなく、ネットワークデータ処理システム３００は、例えばイントラネット、ローカルエリアネットワーク（ＬＡＮ）若しくはワイドエリアネットワーク（ＷＡＮ）などの多数の異なるタイプのネットワークとして実施されてもよい。図１は、一例として意図されるものであり、本発明の異なる実施の形態に対する構造上の制限が目的とはされない。
【００２４】
以下の記載は、本発明の実施の形態に関して提示された記載であり、これは、図１〜図３にそれぞれ示されるデータ処理システム１００、コンピュータソフトウェアシステム１５０、データ処理システム３００、及びネットワーク３０２などのデータ処理システムの操作状況において具体化され得る。しかしながら、本発明は、いずれか特定のアプリケーション又はいずれか特定の環境に制限されない。代わりに、本発明のシステム及び方法が、データベース管理システム、ワードプロセッサなどを含む種々のシステム及びアプリケーションソフトウェアに有利に適用され得ることは当業者によって見出されることになる。さらに、本発明は種々の異なるプラットフォーム上で具体化され得る。したがって、付随する例示の実施の形態の記載は図示を目的とするものであり制約であるとは考えられない。
【００２５】
図４は、本発明の実施の形態による、遠隔カスタムＩＣＣプリンタプロファイリングシステム４００のブロック図を示す。図１〜図６において、同一又は同様のブロックは概して同一参照番号によって指示されることに留意されたい。遠隔カスタムＩＣＣプリンタプロファイリングシステム４００は概してユーザエンティティ（user entity）４０５及びリモートエンティティ(remote entity)４３０を有する。ユーザエンティティ４０５は、ディジタルフロントエンド（ＤＦＥ）４１０、バックエンドプロセッサ４１５、及びレンダリング装置１０８を有する。図１〜図４において、同一又は同様の部分又は要素が同一参照番号によって指示されることに留意されたい。レンダリング装置１０８は、設計の検討に応じて、例えばプリンタ、コピー機、ファックス装置、スキャナ及び他の形式のレンダリング構成要素の少なくとも１つから成ることがある。レンダリング装置１０８は、特定の媒体形式及び色目安又はエミュレーションに対して、カスタムＩＣＣプリンタプロファイル４５０などのカスタムレンダリングプロファイルを作成するためにレンダリング装置１０８のユーザからの要求に基づいて試験レンダリングジョブ４２５を生成することができる。このような要求は、既存の媒体とは異なるカラー特性を備えた新しい媒体の導入、レンダリング装置１０８のカラーレスポンスの傾向、又はプリントの所望のカラーアピアランス（色の見栄え）への変化によってもたらされる。
【００２６】
図５は、好ましい実施の形態によって実施できる、追加情報５１５を備えたテストジョブ４２５の一例を示す図である。試験レンダリングジョブ４２５は一般に、一組のカラースワッチ（色見本）５１０及び多数の追加情報５１５を有する。この追加情報は、例えば、機械シリアル番号若しくはＭＡＣアドレス、媒体の識別番号、色目安若しくはエミュレーションの識別番号、及びレンダリング装置１０８へのＩＣＣプリンタプロファイル４５０の遠隔配信用の多数の命令などのレンダリング装置１０８の識別番号を有する。上記で論じたような機械シリアル番号、ＭＡＣアドレスなどの使用が開示された実施の形態にしたがって利用することができる多くの可能な識別子の１つにすぎないことを留意されたい。たとえば、ＤｙｎＤＮＳ名などの識別子、又はＤＦＥがサービスにログインする場合の認証資格を使用することもできる。一般に、例えばＵＲＬを含む多数の可能な識別子が利用されることもある。
【００２７】
図５に示されるテストジョブ４２５が例示目的のみで本明細書中に記載され、限定するように解釈すべきでないことに留意されたい。追加情報５１５を備えたカラースワッチ５１０を含むテストジョブ４２５は、カスタムＩＣＣプリンタファイル４５０を生成するためのリモートエンティティ４３０に転送される。本明細書中に論じられる実施の形態が限定的な意味で解釈すべきでないことに留意されたい。このような実施の形態が発明のより良い理解に必要な好ましい形式の構造の詳細を示し、発明の概念から逸脱せずに発明の範囲内で当業者による変更を受けやすいことは理解することができる。
【００２８】
インターナショナル・カラー・コンソーシアム（ＩＣＣ）は、レンダリング装置１０８などの装置のカラーレンダリング能力を記述するための標準化システムを作成した。ＩＣＣプロファイルは、装置のギャマット及び色歪みの度合いを定義する。ＩＣＣプロファイルは実際のところ、２つの構成要素を有し、第１の要素は装置に関するハードウェアデータを含み、第２の要素は、装置が色を設定する方法を定義するカラーメトリック(colorimetric)装置特性データである。一般のカスタムプロファイルは、測定されたカラー値を基準値と比較することによって生成される。たとえば、スキャナプロファイルはテストカラージョブをスキャンすることによって生成され、その場合プロファイリングアプリケーションが走査データを装置固有値に変換する。
【００２９】
リモートエンティティ４３０は、スキャナ４３５及び中央処理装置（ＣＰＵ）４４０を有し、後者はプロファイラ・アプリケーション４４５を有する。コンピュータ又はＣＰＵ４４０はシステム４００のための処理及び記憶手段であり、種々の構成要素に相互接続され、これらはディジタルカメラ、インターネットアクセス、ＤＶＤ及びＣＤ−ＲＯＭなどの多数の画像ソース装置を有し得る。プロファイラ・アプリケーション４４５は、カスタムＩＣＣプリンタのプロファイリングを実行してカスタムＩＣＣプリンタプロファイル４５０を生成するアプリケーションプログラムである。
【００３０】
ＩＣＣプリンタプロファイル４５０は、ディジタル処理スキームによってカラー再現を行うために利用できるデータ及び情報を有する。一般に、特徴付け又は記述とも称されるプロファイリングは実際に、レンダリング装置１０８などの装置のカラー能力の記述である。プロファイリングは装置特性を測定し、カラーマネジメントシステムの一部としてある有効な形式にそれら特性を変換する。プロファイリングは、キャリブレーションと同様に装置の動作を変更せずに、むしろキャリブレーションを補間する。しかしながら、このようなアプローチは、特性を作り出すプロセスを一定に保持するように個々の装置を較正する需要を排除するものではない。
【００３１】
スキャナ４３５は、ディジタル化プリント対象画像を作成するためにテストジョブ４２５をスキャンする。プロファイラ・アプリケーション４４５は、レンダリング装置１０８の全色範囲能力を決定するために利用するものである。装置１０８のギャマットは、一組の既知のカラーパッチ又は対象物に対してカラーメトリック(colorimetric)値を測定することによって決定される。そして、補正されたディジタルプリント対象データはＣＰＵ４４０によって処理され、ここでソフトウェアアプリケーション４４５がプリント対象データのカラースペース（色空間）値を一部の参照対象のカラースペース値と比較する。この比較に基づいて、装置依存補正プロファイルデータは演算及び保存され、ＩＣＣプリンタプロファイル４５０として利用される。そして、プロファイル４５０は、変換誤差を補正するように画像データに適用される。
【００３２】
ＩＣＣプリンタプロファイル４５０は、ＤＦＥ４１０に電子転送され、ユーザを介さずに、リモートエンティティ４３０を用いてＩＣＣプロファイル４５０を作成した後にインストールされる。バックエンドプロセッサ４１５は、元のビットマップデータを実際に復元するためにＤＦＥ４１０から提供される圧縮されたビットマップデータを圧縮解除し、そのデータをレンダリング装置１０８に転送する。非圧縮ビットマップデータがＤＦＥ４１０から提供されると、バックエンドプロセッサ４１５が元のビットマップデータをレンダリング装置１０８に転送する。
【００３３】
図６は、本発明による、統合遠隔カスタムＩＣＣプリンタプロファイル４５０を作成し、結果として生じるＩＣＣプリンタプロファイル４５０をＤＦＥ４１０に自動的に転送しインストールするための方法６００の論理演算ステップを示す上位動作のフローチャートを示す。この方法６００は、プログラム製品を含むコンピュータ使用可能媒体のコンテキストにおいて実施することができる。図６に示された方法６００は、プログラム製品を含むコンピュータ使用可能媒体において実施することもできる。
【００３４】
本発明上で機能を定義するプログラムは、種々の信号担持媒体を介してデータ記憶システム又はコンピュータシステムへと転送されることがあり、上記媒体は制限なしに、書き込み不能記憶媒体（例えばＣＤ−ＲＯＭ）、書き込み可能記憶媒体（例えばハードディスクドライブ、読み書きＣＤ−ＲＯＭ、光学媒体）、また制限されないが、例えばランダムアクセスメモリ（ＲＡＭ）等のシステムメモリ、イーサネット（登録商標）、インターネット、ワイヤレスネットワークなどを含むコンピュータ／電話ネットワーク、さらにはネットワークシステムなどの通信媒体を有する。したがって、本発明においてメソッド関数を指示するコンピュータ可読命令を搬送し又は符号化するときにこのような信号担持媒体が本発明の代替する実施の形態を表すことは理解すべきである。さらに、本発明が、本明細書中に記載されるようなハードウェア、ソフトウェア、又はソフトウェアとハードウェアの組み合わせ、あるいはそれらの同等物の形状の手段を有するシステムによって実施され得ることは理解される。ゆえに、本明細書に記載される方法６００は、図１〜図３に示されるようなコンピュータシステム又はデータ処理システムの状況下でプロセスソフトウェアとして有効に活用することができる。
【００３５】
特定の媒体及び色目安又はエミュレーションに対してカスタムＩＣＣプリンタプロファイル４５０を作成するための要求は、ブロック６１０に示されるように設置することができる。カラースワッチ５１０を有するテストジョブ４２５は、ブロック６２０で示されるように生成され、必要に応じて、付加情報５１５は、レンダリング装置１０８を介して生成されるようにページ上に設置される。このような人間／機械可読付加情報は、結果として生じるＩＣＣプリンタプロファイル４５０を発生元のレンダリング装置１０８へ送り戻してインストールするための確実な自動化方法を可能にする。
【００３６】
付加情報５１５は、プリンタの識別番号、機械シリアル番号又はＭＡＣアドレスなどの固有の識別スキームを一般に有する。本明細書中に用いられるように、頭文字ＭＡＣは概して「メディア・アクセス・コントロール」と称し、このＭＡＣアドレスは通常、製造者の登録識別番号を符号化する。更なる情報はまた、媒体の識別番号、色目的又はエミュレーションの識別番号、及びＩＣＣプロファイル４５０のレンダリング装置１０８への転送のための多数の命令を有することがある。
【００３７】
このような配信命令は、ＩＣＣプロファイル４５０が人間を介さずにネットワーク上でレンダリング装置１０８に転送できる場合に直接の配信及びインストールを有するように認識することができる。カスタムＩＣＣプリンタプロファイル４５０はまた、電子メールを介して配信することもできる。直接の配信及びインストールは、ＩＣＣプロファイル４５０をレンダリング装置１０８に転送するためにＩＰアドレス又はネットワーク名を必要とする。このような付加情報は、種々の符号化スキームを用いて機械可読性及び人間可読性の少なくとも一方のために符号化されることもある。機械可読符号化フォーマットは、多数の二次元（２Ｄ）又は三次元（３Ｄ）のバーコードやデータグリフを有することもある。
【００３８】
カラースワッチ５１０を有するテストジョブ４２５は、ブロック６４０に示されるようにカスタムＩＣＣプリンタプロファイル４５０を提供するために遠隔エンティティ４３０に転送されることができる。このようなサービスは第三者、又はどちらかといえばサブコントラクターによって提供される。その後、ブロック６５０に示されるように、割り当てられたカラースワッチプリントは、スキャナに４３５によってスキャンされ、カスタムＩＣＣプリンタプロファイル４５０は、プロファイラ・アプリケーション４４５を用いて生成される。最終的に、結果として生じるＩＣＣプリンタプロファイル４５０は、ブロック６６０に示されるように、提供された配信命令によって元のプリンタ１０８に送り戻される。直接配信及び直接インストールが選択されると、カスタムＩＣＣプリンタプロファイル４５０は既存のＩＣＣプリンタプロファイルを備えた同一ディレクトリに設置され、媒体属性は新しいカスタムＩＣＣプリンタプロファイル４５０を適用可能な媒体に関連付けるために変更される。
【００３９】
本発明は好ましい実施の形態に関して特に示され記載されているが、種々の形式変更及び細部が発明の精神及び範囲から逸脱せずに本明細書中で実行され得ることは当業者によって理解される。さらに、本明細書及び添付された請求の範囲に使用されるように、用語「コンピュータ」、「システム」、「コンピュータシステム」、「演算システム」は、制限されないが、パーソナルコンピュータ、サーバ、ワークステーション、ネットワークコンピュータ、メインフレームコンピュータ、ルータ、スイッチ、パーソナル・ディジタル・アシスタント（ＰＤＡ）、電話、及びデータを処理し転送し受信し捕捉し、さらに／あるいは保存することができる他のシステムを有するどのようなデータ処理システムも有する。
【００４０】
本明細書中に記載されるシステム及びアプローチを利用することによって、コスト、及びカスタムＩＣＣプリンタプロファイリングに対応付けられるオペレータスキルレベルへの関心がアドレス指定され、ＩＣＣプリンタプロファイルが、レンダリング装置のオーナー／オペレータにカラー測定装置を所有し若しくは使用し、又はこのようなカスタムＩＣＣプリンタプロファイルをインストールするために手動ステップを実行するように要求することなく提供できることが考えられる。本明細書中に記載されたシステム４００はまた、オペレータがカラースワッチテストジョブをクーリエサービスに手渡し、スペクトロフォトメータ又はプロファイラ・アプリケーションソフトウェアを操作する方法を知る必要がない場合にハンドフリーオペレーションに対しても適合される。カスタムＩＣＣプリンタプロファイルを生成するための方法６００は、顧客が加入モデルを介してカスタムＩＣＣプリンタプロファイルを購入する場合に加入サービスに等しく適用できる。
【図１】
2010157221.tif 000003
【図２】
2010157221.tif 000004
【図３】
2010157221.tif 000005
【図４】
2010157221.tif 000006
【図５】
2010157221.tif 000007
【図６】
2010157221.tif 000008